(57)【要約】【課題】ノイズ低減機能の維持。【解決手段】ノイズ低減素子１１と、第１電線ＷＥ１に電気接続される第１回路接続部材１２と、第２電線ＷＥ２に電気接続される第２回路接続部材１３と、これらを収容する筐体２０と、筐体の第１配索経路上における第１回路接続部材の接点部１２ｂに対する一方側と他方側とに各々設け、かつ、筐体の第２配索経路上における第２回路接続部材の接点部１３ｂに対する一方側と他方側とに各々設けた電線保持構造５０と、を備え、電線保持構造が備える２つの突起部は、自らの撓みに伴い小径電線ＷＥＳの最大外径部を乗り越えさせることが可能で、かつ、その乗り越え後の撓みの解消に伴い小径電線を挟持することが可能で、かつ、自らが最大限撓んでも大径電線ＷＥＬの最大外径部を乗り越えさせることが不能で、かつ、大径電線を挟持することが可能な形状及び間隔のものとして設けること。【選択図】図２
2020123880.tif 000002
【特許請求の範囲】
【請求項１】
ノイズ成分を低減させるノイズ低減素子と、
第１接続電線の芯線の中間接続部に対して間接的又は直接的に電気接続させる接点部を有し、かつ、前記ノイズ低減素子の第１接続部に電気接続させた導電性の第１回路接続部材と、
第２接続電線の芯線の中間接続部に対して間接的又は直接的に電気接続させる接点部を有し、かつ、前記ノイズ低減素子の第２接続部に電気接続させた導電性の第２回路接続部材と、
前記ノイズ低減素子、前記第１回路接続部材、前記第２回路接続部材、前記第１接続電線及び前記第２接続電線が収容される収容室を有し、前記第１接続電線を第１配索経路に沿って配策させることが可能で、かつ、前記第２接続電線を第２配索経路に沿って配策させることが可能な絶縁性の筐体と、
前記筐体の前記第１配索経路上における前記第１回路接続部材の前記接点部に対する一方側と他方側とに各々設け、かつ、前記筐体の前記第２配索経路上における前記第２回路接続部材の前記接点部に対する一方側と他方側とに各々設けた電線保持構造と、
を備え、
前記第１接続電線と前記第２接続電線は、各々、小径電線又は前記小径電線よりも外径の大きい大径電線であり、
前記電線保持構造は、互いに間隔を空けて対向配置され、前記小径電線と前記大径電線の内の何れか一方を保持することが可能な可撓性を持つ２つの突起部を備え、
２つの前記突起部は、自らの撓みに伴い前記小径電線の最大外径部を乗り越えさせることが可能で、かつ、その乗り越え後の撓みの解消に伴い前記小径電線を挟持することが可能で、かつ、自らが最大限撓んでも前記大径電線の最大外径部を乗り越えさせることが不能で、かつ、前記大径電線を挟持することが可能な形状及び前記間隔のものとして設けることを特徴としたノイズフィルタ。
【請求項２】
前記電線保持構造は、前記小径電線と前記大径電線の内の何れか一方の収容が可能な電線収容部を備え、
前記電線収容部は、前記小径電線と前記大径電線の内の何れか一方を挿入させることが可能な電線挿入口と、円弧状に形成された弧状面と、前記弧状面の一端から前記電線挿入口まで延出させた第１側壁面と、前記弧状面の他端から前記電線挿入口まで延出させ、前記第１側壁面に対して間隔を空けて対向配置された第２側壁面と、を有し、
２つの前記突起部は、その内の一方を前記第１側壁面に設け、その内の他方を前記第２側壁面に設けることを特徴とした請求項１に記載のノイズフィルタ。
【請求項３】
前記第１接続電線と前記第２接続電線とに各々取り付けられる端子金具を設け、
前記端子金具は、前記小径電線に取り付けられるものの場合、前記小径電線の前記中間接続部に対して物理的且つ電気的に接続された小径芯線接続部と、前記小径電線における前記中間接続部よりも一端側を被覆の上から保持する第１小径被覆保持部と、前記小径電線における前記中間接続部よりも他端側を被覆の上から保持する第２小径被覆保持部と、前記小径芯線接続部及び前記第１小径被覆保持部を連結させる第１連結部と、前記小径芯線接続部及び前記第２小径被覆保持部を連結させる第２連結部と、を有し、
前記端子金具は、前記大径電線に取り付けられるものの場合、前記大径電線の前記中間接続部に対して物理的且つ電気的に接続された大径芯線接続部と、前記大径電線における前記中間接続部よりも一端側を被覆の上から保持する第１大径被覆保持部と、前記大径電線における前記中間接続部よりも他端側を被覆の上から保持する第２大径被覆保持部と、前記大径芯線接続部及び前記第１大径被覆保持部を連結させる第１連結部と、前記大径芯線接続部及び前記第２大径被覆保持部を連結させる第２連結部と、を有し、
前記第１配索経路上の２つの前記電線保持構造は、その内の一方の前記電線収容部の周縁部で前記第１小径被覆保持部又は前記第１大径被覆保持部を電線軸方向における一方側から係止させ、かつ、その内の他方の前記電線収容部の周縁部で前記第２小径被覆保持部又は前記第２大径被覆保持部を電線軸方向における他方側から係止させ得るものとして形成し、
前記第２配索経路上の２つの前記電線保持構造は、その内の一方の前記電線収容部の周縁部で前記第１小径被覆保持部又は前記第１大径被覆保持部を電線軸方向における一方側から係止させ、かつ、その内の他方の前記電線収容部の周縁部で前記第２小径被覆保持部又は前記第２大径被覆保持部を電線軸方向における他方側から係止させ得るものとして形成することを特徴とした請求項２に記載のノイズフィルタ。
【請求項４】
前記筐体は、前記収容室を有し、かつ、前記ノイズ低減素子、前記第１回路接続部材、前記第２回路接続部材、前記第１接続電線及び前記第２接続電線を前記収容室に挿入させる部品挿入口を有する箱部材と、前記部品挿入口を塞ぐ蓋部材と、を備え、
前記電線保持構造は、前記箱部材と前記蓋部材の内の何れか一方に設けることを特徴とした請求項２又は３に記載のノイズフィルタ。
【請求項５】
前記箱部材は、前記第１接続電線の前記中間接続部よりも一端側を外方に引き出させる第１引出部と、前記第１接続電線の前記中間接続部よりも他端側を外方に引き出させる第２引出部と、前記第２接続電線の前記中間接続部よりも一端側を外方に引き出させる第３引出部と、前記第２接続電線の前記中間接続部よりも他端側を外方に引き出させる第４引出部と、を有し、
それぞれの前記電線保持構造は、各々、前記第１引出部と前記第２引出部と前記第３引出部と前記第４引出部を前記電線収容部として利用することを特徴とした請求項４に記載のノイズフィルタ。
【請求項６】
前記蓋部材は、前記部品挿入口を塞ぐ閉塞壁を有し、
それぞれの前記電線保持構造は、各々、前記閉塞壁の内壁面に突出状態で設けられ、前記小径電線と前記大径電線の内の一方を保持することが可能な電線保持体を備え、
前記電線収容部は、前記電線保持体に設けることを特徴とした請求項４に記載のノイズフィルタ。
【請求項７】
第１接続電線及び第２接続電線を含む幹線と、
ノイズ成分を低減させるノイズフィルタと、
を備え、
前記ノイズフィルタは、
ノイズ成分を低減させるノイズ低減素子と、
前記第１接続電線の芯線の中間接続部に対して間接的又は直接的に電気接続させることが可能な接点部を有し、かつ、前記ノイズ低減素子の第１接続部に電気接続させた導電性の第１回路接続部材と、
前記第２接続電線の芯線の中間接続部に対して間接的又は直接的に電気接続させることが可能な接点部を有し、かつ、前記ノイズ低減素子の第２接続部に電気接続させた導電性の第２回路接続部材と、
前記ノイズ低減素子、前記第１回路接続部材、前記第２回路接続部材、前記第１接続電線及び前記第２接続電線が収容される収容室を有し、前記第１接続電線を第１配索経路に沿って配策させることが可能で、かつ、前記第２接続電線を第２配索経路に沿って配策させることが可能な絶縁性の筐体と、
前記筐体の前記第１配索経路上における前記第１回路接続部材の前記接点部に対する一方側と他方側とに各々設け、かつ、前記筐体の前記第２配索経路上における前記第２回路接続部材の前記接点部に対する一方側と他方側とに各々設けた電線保持構造と、
を備え、
前記第１接続電線と前記第２接続電線は、各々、小径電線又は前記小径電線よりも外径の大きい大径電線であり、
前記電線保持構造は、互いに間隔を空けて対向配置され、前記小径電線と前記大径電線の内の何れか一方を保持することが可能な可撓性を持つ２つの突起部を備え、
２つの前記突起部は、自らの撓みに伴い前記小径電線の最大外径部を乗り越えさせることが可能で、かつ、その乗り越え後の撓みの解消に伴い前記小径電線を挟持することが可能で、かつ、自らが最大限撓んでも前記大径電線の最大外径部を乗り越えさせることが不能で、かつ、前記大径電線を挟持することが可能な形状及び前記間隔のものとして設けることを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象の電線にノイズフィルタを介装させる、という技術が知られている。そのノイズフィルタは、コンデンサ等のノイズ低減素子が設けられたフィルタ回路を備えており、そのフィルタ回路をノイズ低減対象の電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、電線については、大小様々な外径のものがノイズ低減対象となる。このため、ノイズフィルタは、例えば、部品の品番管理を容易ならしめたり、原価の低減を図ったりするのであれば、外径の異なる電線間で共用できるものとして構成しておくことが望ましい。
【０００５】
そこで、本発明は、外径の異なる電線間での共用化を図り得るノイズフィルタ及びワイヤハーネスを提供することを、その目的とする。
【課題を解決するための手段】
【０００６】
上記目的を達成する為、本発明に係るノイズフィルタは、ノイズ成分を低減させるノイズ低減素子と、第１接続電線の芯線の中間接続部に対して間接的又は直接的に電気接続させる接点部を有し、かつ、前記ノイズ低減素子の第１接続部に電気接続させた導電性の第１回路接続部材と、第２接続電線の芯線の中間接続部に対して間接的又は直接的に電気接続させる接点部を有し、かつ、前記ノイズ低減素子の第２接続部に電気接続させた導電性の第２回路接続部材と、前記ノイズ低減素子、前記第１回路接続部材、前記第２回路接続部材、前記第１接続電線及び前記第２接続電線が収容される収容室を有し、前記第１接続電線を第１配索経路に沿って配策させることが可能で、かつ、前記第２接続電線を第２配索経路に沿って配策させることが可能な絶縁性の筐体と、前記筐体の前記第１配索経路上における前記第１回路接続部材の前記接点部に対する一方側と他方側とに各々設け、かつ、前記筐体の前記第２配索経路上における前記第２回路接続部材の前記接点部に対する一方側と他方側とに各々設けた電線保持構造と、を備え、前記第１接続電線と前記第２接続電線は、各々、小径電線又は前記小径電線よりも外径の大きい大径電線であり、前記電線保持構造は、互いに間隔を空けて対向配置され、前記小径電線と前記大径電線の内の何れか一方を保持することが可能な可撓性を持つ２つの突起部を備え、２つの前記突起部は、自らの撓みに伴い前記小径電線の最大外径部を乗り越えさせることが可能で、かつ、その乗り越え後の撓みの解消に伴い前記小径電線を挟持することが可能で、かつ、自らが最大限撓んでも前記大径電線の最大外径部を乗り越えさせることが不能で、かつ、前記大径電線を挟持することが可能な形状及び前記間隔のものとして設けることを特徴としている。
【０００７】
ここで、前記電線保持構造は、前記小径電線と前記大径電線の内の何れか一方の収容が可能な電線収容部を備え、前記電線収容部は、前記小径電線と前記大径電線の内の何れか一方を挿入させることが可能な電線挿入口と、円弧状に形成された弧状面と、前記弧状面の一端から前記電線挿入口まで延出させた第１側壁面と、前記弧状面の他端から前記電線挿入口まで延出させ、前記第１側壁面に対して間隔を空けて対向配置された第２側壁面と、を有し、２つの前記突起部は、その内の一方を前記第１側壁面に設け、その内の他方を前記第２側壁面に設けることが望ましい。
【０００８】
また、前記第１接続電線と前記第２接続電線とに各々取り付けられる端子金具を設け、前記端子金具は、前記小径電線に取り付けられるものの場合、前記小径電線の前記中間接続部に対して物理的且つ電気的に接続された小径芯線接続部と、前記小径電線における前記中間接続部よりも一端側を被覆の上から保持する第１小径被覆保持部と、前記小径電線における前記中間接続部よりも他端側を被覆の上から保持する第２小径被覆保持部と、前記小径芯線接続部及び前記第１小径被覆保持部を連結させる第１連結部と、前記小径芯線接続部及び前記第２小径被覆保持部を連結させる第２連結部と、を有し、前記端子金具は、前記大径電線に取り付けられるものの場合、前記大径電線の前記中間接続部に対して物理的且つ電気的に接続された大径芯線接続部と、前記大径電線における前記中間接続部よりも一端側を被覆の上から保持する第１大径被覆保持部と、前記大径電線における前記中間接続部よりも他端側を被覆の上から保持する第２大径被覆保持部と、前記大径芯線接続部及び前記第１大径被覆保持部を連結させる第１連結部と、前記大径芯線接続部及び前記第２大径被覆保持部を連結させる第２連結部と、を有し、前記第１配索経路上の２つの前記電線保持構造は、その内の一方の前記電線収容部の周縁部で前記第１小径被覆保持部又は前記第１大径被覆保持部を電線軸方向における一方側から係止させ、かつ、その内の他方の前記電線収容部の周縁部で前記第２小径被覆保持部又は前記第２大径被覆保持部を電線軸方向における他方側から係止させ得るものとして形成し、前記第２配索経路上の２つの前記電線保持構造は、その内の一方の前記電線収容部の周縁部で前記第１小径被覆保持部又は前記第１大径被覆保持部を電線軸方向における一方側から係止させ、かつ、その内の他方の前記電線収容部の周縁部で前記第２小径被覆保持部又は前記第２大径被覆保持部を電線軸方向における他方側から係止させ得るものとして形成することが望ましい。
【０００９】
また、前記筐体は、前記収容室を有し、かつ、前記ノイズ低減素子、前記第１回路接続部材、前記第２回路接続部材、前記第１接続電線及び前記第２接続電線を前記収容室に挿入させる部品挿入口を有する箱部材と、前記部品挿入口を塞ぐ蓋部材と、を備え、前記電線保持構造は、前記箱部材と前記蓋部材の内の何れか一方に設けることが望ましい。
【００１０】
また、前記箱部材は、前記第１接続電線の前記中間接続部よりも一端側を外方に引き出させる第１引出部と、前記第１接続電線の前記中間接続部よりも他端側を外方に引き出させる第２引出部と、前記第２接続電線の前記中間接続部よりも一端側を外方に引き出させる第３引出部と、前記第２接続電線の前記中間接続部よりも他端側を外方に引き出させる第４引出部と、を有し、それぞれの前記電線保持構造は、各々、前記第１引出部と前記第２引出部と前記第３引出部と前記第４引出部を前記電線収容部として利用することが望ましい。
【００１１】
また、前記蓋部材は、前記部品挿入口を塞ぐ閉塞壁を有し、それぞれの前記電線保持構造は、各々、前記閉塞壁の内壁面に突出状態で設けられ、前記小径電線と前記大径電線の内の一方を保持することが可能な電線保持体を備え、前記電線収容部は、前記電線保持体に設けることが望ましい。
【００１２】
また、上記目的を達成する為、本発明に係るワイヤハーネスは、第１接続電線及び第２接続電線を含む幹線と、ノイズ成分を低減させるノイズフィルタと、を備え、前記ノイズフィルタは、ノイズ成分を低減させるノイズ低減素子と、前記第１接続電線の芯線の中間接続部に対して間接的又は直接的に電気接続させることが可能な接点部を有し、かつ、前記ノイズ低減素子の第１接続部に電気接続させた導電性の第１回路接続部材と、前記第２接続電線の芯線の中間接続部に対して間接的又は直接的に電気接続させることが可能な接点部を有し、かつ、前記ノイズ低減素子の第２接続部に電気接続させた導電性の第２回路接続部材と、前記ノイズ低減素子、前記第１回路接続部材、前記第２回路接続部材、前記第１接続電線及び前記第２接続電線が収容される収容室を有し、前記第１接続電線を第１配索経路に沿って配策させることが可能で、かつ、前記第２接続電線を第２配索経路に沿って配策させることが可能な絶縁性の筐体と、前記筐体の前記第１配索経路上における前記第１回路接続部材の前記接点部に対する一方側と他方側とに各々設け、かつ、前記筐体の前記第２配索経路上における前記第２回路接続部材の前記接点部に対する一方側と他方側とに各々設けた電線保持構造と、を備え、前記第１接続電線と前記第２接続電線は、各々、小径電線又は前記小径電線よりも外径の大きい大径電線であり、前記電線保持構造は、互いに間隔を空けて対向配置され、前記小径電線と前記大径電線の内の何れか一方を保持することが可能な可撓性を持つ２つの突起部を備え、２つの前記突起部は、自らの撓みに伴い前記小径電線の最大外径部を乗り越えさせることが可能で、かつ、その乗り越え後の撓みの解消に伴い前記小径電線を挟持することが可能で、かつ、自らが最大限撓んでも前記大径電線の最大外径部を乗り越えさせることが不能で、かつ、前記大径電線を挟持することが可能な形状及び前記間隔のものとして設けることを特徴としている。
【発明の効果】
【００１３】
本発明に係るノイズフィルタは、外径の異なる電線間でフィルタ回路（ノイズ低減素子、第１回路接続部材、第２回路接続部材）と筐体を共用することができる。つまり、このノイズフィルタは、第１接続電線や第２接続電線として小径電線が用いられる場合でも、第１接続電線や第２接続電線として大径電線が用いられる場合でも、その第１接続電線と第２接続電線をそれぞれの電線保持構造によって筐体に保持させることができる。よって、本発明に係るノイズフィルタは、フィルタ回路や筐体の品番管理が容易なものとなり、かつ、原価の低減を図ることができる。また、本発明に係るノイズフィルタは、それぞれの電線保持構造による第１接続電線や第２接続電線の保持機能によって、振動等の外部入力が第１接続電線や第２接続電線に作用した際に、第１接続電線や第２接続電線が小径電線であるのか大径電線であるのかに拘わらず、筐体に対する第１接続電線や第２接続電線の電線軸方向への位置ずれを抑えることができる。よって、このノイズフィルタは、第１接続電線や第２接続電線が小径電線であるのか大径電線であるのかに拘わらず、電線軸方向での第１回路接続部材と第１接続電線の中間接続部との間の相対的な位置ずれの抑制も可能になり、かつ、電線軸方向での第２回路接続部材と第２接続電線の中間接続部との間の相対的な位置ずれの抑制も可能になる。従って、本発明に係るノイズフィルタは、第１接続電線や第２接続電線が小径電線であるのか大径電線であるのかに拘わらず、それぞれの電線保持構造によって、第１回路接続部材と中間接続部との間を所期の通電状態に保ちつつ、第２回路接続部材と中間接続部との間を所期の通電状態に保つことができるので、ノイズ低減機能を保ち続けることができる。また、本発明に係るワイヤハーネスは、そのようなノイズフィルタを具備するものであり、このノイズフィルタが得られる効果を奏することができる。
【図面の簡単な説明】
【００１４】
【図１】図１は、実施形態のノイズフィルタ及びワイヤハーネスを示す斜視図である。
【図２】図２は、実施形態のノイズフィルタ及びワイヤハーネスを示す上面図である。
【図３】図３は、実施形態のノイズフィルタ及びワイヤハーネスを示す分解斜視図である。
【図４】図４は、フィルタ回路を示す斜視図である。
【図５】図５は、箱部材と弾性保持構造と電線保持構造とを示す斜視図である。
【図６】図６は、箱部材と弾性保持構造と電線保持構造とを別角度から見た斜視図である。
【図７】図７は、箱部材と弾性保持構造と電線保持構造とを示す上面図である。
【図８】図８は、箱部材と弾性保持構造と電線保持構造をフィルタ回路と共に示す上面図である。
【図９】図９は、図８のＸ−Ｘ線断面図である。
【図１０】図１０は、図８のＹ１−Ｙ１線断面図であって、説明の便宜上９０度傾けて示した図である。
【図１１】図１１は、図７のＹ２−Ｙ２線断面における電線保持構造の部分拡大図であって、説明の便宜上９０度傾けて示した図である。
【図１２】図１２は、図２のＹ２−Ｙ２線断面における電線保持構造の部分拡大図であって、説明の便宜上９０度傾けて示した図である。
【図１３】図１３は、大径電線に取り付けられたノイズフィルタを示す斜視図である。
【図１４】図１４は、大径電線に取り付けられたノイズフィルタを示す上面図である。
【図１５】図１５は、大径電線に取り付けられる際の電線保持構造を示す断面図である。
【図１６】図１６は、図１４のＹ２−Ｙ２線断面における電線保持構造の部分拡大図であって、説明の便宜上９０度傾けて示した図である。
【図１７】図１７は、変形例のノイズフィルタ及びワイヤハーネスを示す斜視図である。
【図１８】図１８は、変形例のノイズフィルタ及びワイヤハーネスを示す分解斜視図である。
【図１９】図１９は、変形例のノイズフィルタ及びワイヤハーネスを別角度から見た分解斜視図である。
【図２０】図２０は、変形例の蓋部材と電線保持構造とを示す斜視図である。
【図２１】図２１は、変形例の蓋部材と電線保持構造とを別角度から見た斜視図である。
【図２２】図２２は、変形例の蓋部材と電線保持構造とを示す平面図である。
【図２３】図２３は、変形例の電線保持構造を示す平面図である。
【図２４】図２４は、変形例の蓋部材と電線保持構造を大径電線と共に示す斜視図である。
【図２５】図２５は、変形例の蓋部材と電線保持構造を大径電線と共に示す平面図である。
【図２６】図２６は、大径電線が保持状態にある変形例の電線保持構造を示す平面図である。
【図２７】図２７は、小径電線が保持状態にある変形例の電線保持構造を示す平面図である。
【図２８】図２８は、大径電線の端子金具を示す斜視図である。
【図２９】図２９は、小径電線の端子金具を示す斜視図である。
【図３０】図３０は、変形例の蓋部材と電線保持構造を小径電線と共に示す平面図である。
【発明を実施するための形態】
【００１５】
以下に、本発明に係るノイズフィルタ及びワイヤハーネスの実施形態を図面に基づいて詳細に説明する。尚、この実施形態によりこの発明が限定されるものではない。
【００１６】
［実施形態］
本発明に係るノイズフィルタ及びワイヤハーネスの実施形態の１つを図１から図１６に基づいて説明する。
【００１７】
図１から図３の符号１は、本実施形態のノイズフィルタを示す。このノイズフィルタ１は、２本の電線（第１接続電線ＷＥ１、第２接続電線ＷＥ２）の中間部分同士をフィルタ回路で繋いだノイズ低減装置であり、２本の電線の内の一方を接地させ、その内の他方に乗った電気的なノイズ成分をフィルタ回路のノイズ低減素子で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、車両のデフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１接続電線ＷＥ１を電源線として利用し、第２接続電線ＷＥ２をアース線として利用する。第１接続電線ＷＥ１は、一方の端部が電源（例えば、車両の二次電池）に対して電気的に接続され、他方の端部が負荷に対して電気的に接続されている。また、第２接続電線ＷＥ２は、一方の端部が接地されている。第１接続電線ＷＥ１と第２接続電線ＷＥ２は、各々、導電性の芯線ＷＥａと、この芯線ＷＥａの外周面を覆う絶縁性の被覆ＷＥｂと、を備える。
【００１８】
ノイズフィルタ１は、第１接続電線ＷＥ１の中間部分に位置している芯線ＷＥａの一部分と第２接続電線ＷＥ２の中間部分に位置している芯線ＷＥａの一部分との間に介在させ、それぞれの芯線ＷＥａに対して電気的に接続させる。以下においては、その第１接続電線ＷＥ１の中間部分に位置している芯線ＷＥａの一部分を「中間接続部ＷＥａ１」と称し、かつ、第２接続電線ＷＥ２の中間部分に位置している芯線ＷＥａの一部分を「中間接続部ＷＥａ２」と称する。また、以下においては、その第１接続電線ＷＥ１の芯線ＷＥａの中間接続部ＷＥａ１のことを「第１接続電線ＷＥ１の中間接続部ＷＥａ１」と簡略化し、かつ、その第２接続電線ＷＥ２の芯線ＷＥａの中間接続部ＷＥａ２のことを「第２接続電線ＷＥ２の中間接続部ＷＥａ２」と簡略化する。このノイズフィルタ１は、例えば、第１接続電線ＷＥ１に乗った電気的なノイズ成分を低減させる。
【００１９】
このノイズフィルタ１は、ノイズ成分を低減させるフィルタ回路１０と、このフィルタ回路１０と共に第１接続電線ＷＥ１の中間接続部ＷＥａ１及び第２接続電線ＷＥ２の中間接続部ＷＥａ２が収容される筐体２０と、備える（図１から図３）。このノイズフィルタ１においては、その筐体２０の収容室２０ａに並列配置状態で第１接続電線ＷＥ１の中間接続部ＷＥａ１と第２接続電線ＷＥ２の中間接続部ＷＥａ２とを収容して、その収容室２０ａの中で第１接続電線ＷＥ１と第２接続電線ＷＥ２とを併走させる（図１）。その第１接続電線ＷＥ１と第２接続電線ＷＥ２については、それぞれの両端側が筐体２０の外方に引き出される。
【００２０】
ノイズフィルタ１は、フィルタ回路１０の構成要素の１つとして、ノイズ成分を低減させる少なくとも１つのノイズ低減素子１１を備える（図１から図４）。このノイズ低減素子１１は、ノイズフィルタ１の回路構成でノイズの低減を図り得るものであれば、如何様なものを用いてもよい。例えば、ノイズ低減素子１１としては、コンデンサやコイル等が考えられる。
【００２１】
このノイズ低減素子１１は、第１接続電線ＷＥ１の中間接続部ＷＥａ１と第２接続電線ＷＥ２の中間接続部ＷＥａ２との間に配置され、それぞれの中間接続部ＷＥａ１，ＷＥａ２に対して電気的に接続させる。このノイズ低減素子１１は、第１接続電線ＷＥ１の中間接続部ＷＥａ１に対して電気接続させる第１接続部１１ａと、第２接続電線ＷＥ２の中間接続部ＷＥａ２に対して電気接続させる第２接続部１１ｂと、を有する（図４）。このノイズ低減素子１１においては、第１接続部１１ａが一方の端部に露出状態で設けられ、第２接続部１１ｂが他方の端部に露出状態で設けられる。例えば、このノイズ低減素子１１は、外形が方体状に形成されており、対向配置状態の２つの壁部の内の一方に第１接続部１１ａが設けられ、かつ、その内の他方に第２接続部１１ｂが設けられている。この例示のノイズフィルタ１では、そのノイズ低減素子１１として２つのコンデンサを備えており、この２つのコンデンサでノイズの低減を図ることができるように構成している（図１から図４）。
【００２２】
更に、このノイズフィルタ１は、フィルタ回路１０の構成要素の１つとして、ノイズ低減素子１１の第１接続部１１ａと第１接続電線ＷＥ１の中間接続部ＷＥａ１との間に介在させ、その第１接続部１１ａと中間接続部ＷＥａ１とを間接的に電気接続させる導電性の第１接続部材（以下、「第１回路接続部材」という。）１２を備える（図１から図４）。また、このノイズフィルタ１は、フィルタ回路１０の構成要素の１つとして、ノイズ低減素子１１の第２接続部１１ｂと第２接続電線ＷＥ２の中間接続部ＷＥａ２との間に介在させ、その第２接続部１１ｂと中間接続部ＷＥａ２とを間接的に電気接続させる導電性の第２接続部材（以下、「第２回路接続部材」という。）１３を備える（図１から図４）。その第１回路接続部材１２と第２回路接続部材１３は、各々、金属等の導電性材料で成形された導電部材である。
【００２３】
この例示の第１回路接続部材１２と第２回路接続部材１３は、各々、金属板を母材にして同形状に成形されている。ここでは、その第１回路接続部材１２と第２回路接続部材１３とに各々弾性を持たせている。
【００２４】
第１回路接続部材１２は、２つの片部を有するが如くＵ字状に折り曲げられた弾性部１２ａと、その弾性部１２ａの一方の片部における自由端から突出させた接点部１２ｂと、を有する（図４）。このノイズフィルタ１においては、その接点部１２ｂに対して第１接続電線ＷＥ１の中間接続部ＷＥａ１を間接的又は直接的に電気接続させる。この第１回路接続部材１２は、弾性部１２ａの折り曲げ点が起点となる撓みを可能にするものであり、第１接続電線ＷＥ１の中間接続部ＷＥａ１から接点部１２ｂに対して間接的又は直接的に作用させた外力によって、この接点部１２ｂを弾性部１２ａの一方の片部と共に撓ませることができる。
【００２５】
この例示の第１接続電線ＷＥ１においては、中間接続部ＷＥａ１に対して、導電性の端子金具３０が物理的且つ電気的に接続されている（図１から図３）。その端子金具３０は、金属等の導電性材料で成形された導電部材である。例えば、この端子金具３０は、第１接続電線ＷＥ１の中間接続部ＷＥａ１に対して巻き付けながら加締められていく矩形の金属板であり、加締め圧着後に筒状を成して中間接続部ＷＥａ１に対して物理的且つ電気的に接続される。第１回路接続部材１２は、この端子金具３０を接点部１２ｂに接触させることによって、第１接続電線ＷＥ１の中間接続部ＷＥａ１に対して間接的に電気接続される。
【００２６】
ここで、第１接続電線ＷＥ１は、丸導体等の単線を芯線ＷＥａとして備えるものであるならば、中間接続部ＷＥａ１に端子金具３０を設けずともよい。また、第１接続電線ＷＥ１は、複数本の素線の集合体を芯線ＷＥａとして備えるものであるならば、中間接続部ＷＥａ１における複数本の素線を熱圧着等で溶着して一纏めに固着させることによって、その中間接続部ＷＥａ１に端子金具３０を設けずともよい。これらの場合、第１回路接続部材１２は、その第１接続電線ＷＥ１の中間接続部ＷＥａ１を接点部１２ｂに接触させることによって、この中間接続部ＷＥａ１に対して直接的に電気接続される。
【００２７】
第２回路接続部材１３は、第１回路接続部材１２と同様の弾性部１３ａと接点部１３ｂとを有する（図４）。このノイズフィルタ１においては、その接点部１３ｂに対して第２接続電線ＷＥ２の中間接続部ＷＥａ２を間接的又は直接的に電気接続させる。この第２回路接続部材１３は、第２接続電線ＷＥ２の中間接続部ＷＥａ２から接点部１３ｂに対して間接的又は直接的に作用させた外力によって、この接点部１３ｂを弾性部１３ａの一方の片部と共に撓ませることができる。
【００２８】
この例示の第２接続電線ＷＥ２においては、中間接続部ＷＥａ２に対して、第１接続電線ＷＥ１と同様の端子金具３０が物理的且つ電気的に接続されている（図１から図３）。第２回路接続部材１３は、この端子金具３０を接点部１３ｂに接触させることによって、第２接続電線ＷＥ２の中間接続部ＷＥａ２に対して間接的に電気接続される。
【００２９】
ここで、第２接続電線ＷＥ２は、丸導体等の単線を芯線ＷＥａとして備えるものであったり、中間接続部ＷＥａ２における複数本の素線が熱圧着等で溶着して一纏めに固着されたものであったりするならば、中間接続部ＷＥａ２に端子金具３０を設けずともよい。これらの場合、第２回路接続部材１３は、その第２接続電線ＷＥ２の中間接続部ＷＥａ２を接点部１３ｂに接触させることによって、この中間接続部ＷＥａ２に対して直接的に電気接続される。
【００３０】
また更に、このノイズフィルタ１は、ノイズ低減素子１１と第１回路接続部材１２と第２回路接続部材１３とが実装される回路基板１４を備える（図１から図４）。この例示では、矩形の平板状に回路基板１４を形成している。この回路基板１４は、一方の平面を部品面１４ａとし、その部品面１４ａにノイズ低減素子１１と第１回路接続部材１２と第２回路接続部材１３とを実装させる。
【００３１】
この回路基板１４は、第１回路接続部材１２をノイズ低減素子１１の第１接続部１１ａに電気接続させ、かつ、第２回路接続部材１３をノイズ低減素子１１の第２接続部１１ｂに電気接続させる導電性の回路パターン（図示略）を有する。その回路パターンは、第１回路接続部材１２の回路接続部１２ｃ（図４）とノイズ低減素子１１の第１接続部１１ａとの間に介在させる第１導電部と、第２回路接続部材１３の回路接続部１３ｃ（図４）とノイズ低減素子１１の第２接続部１１ｂとの間に介在させる第２導電部と、を有している。第１導電部は、回路接続部１２ｃを介して第１回路接続部材１２を第１接続部１１ａに電気接続させる。第２導電部は、回路接続部１３ｃを介して第２回路接続部材１３を第２接続部１１ｂに電気接続させる。ここで、第１回路接続部材１２においては、弾性部１２ａの他方の片部を回路接続部１２ｃとして利用している。また、第２回路接続部材１３においては、弾性部１３ａの他方の片部を回路接続部１３ｃとして利用している。
【００３２】
筐体２０は、合成樹脂等の絶縁性材料で成形される。この筐体２０の収容室２０ａには、ノイズ低減素子１１と第１回路接続部材１２と第２回路接続部材１３とが部品面１４ａに実装された回路基板１４（つまり、フィルタ回路１０）と、第１接続電線ＷＥ１と、第２接続電線ＷＥ２と、が収容される。
【００３３】
この例示の筐体２０は、収容室２０ａを有し、かつ、フィルタ回路１０、第１接続電線ＷＥ１及び第２接続電線ＷＥ２を収容室２０ａに挿入させる部品挿入口２０ｂを有する箱部材２１と、その部品挿入口２０ｂを塞ぐ蓋部材２２と、を備える（図１及び図３）。
【００３４】
箱部材２１は、底壁と外周壁とを有し、これらで囲まれた空間が収容室２０ａとして利用され、その収容室２０ａの開口が部品挿入口２０ｂとして利用される。この例示の箱部材２１は、矩形且つ平板状の底壁２１ａと、この底壁２１ａの４つの辺部から各々立設させた第１から第４の外周壁２１ｂ−２１ｅと、を有する（図２、図３及び図５から図８）。この箱部材２１においては、第１から第４の外周壁２１ｂ−２１ｅについても、各々、矩形且つ平板状に形成されている。
【００３５】
回路基板１４は、部品面１４ａを部品挿入口２０ｂに向けて底壁２１ａに載せ置かれる。収容室２０ａにおいては、回路基板１４の４つの辺部の内の１つである第１周縁部１４ｂを第１外周壁２１ｂの内壁面に対して間隔を空けて対向配置させる（図８）。また、この収容室２０ａにおいては、回路基板１４の４つの辺部の内の１つである第２周縁部１４ｃを第２外周壁２１ｃの内壁面に対して間隔を空けて対向配置させる（図８）。また、この収容室２０ａにおいては、回路基板１４の４つの辺部の内の１つである第３周縁部１４ｄを第３外周壁２１ｄの内壁面に対して間隔を空けて対向配置させる（図８）。また、この収容室２０ａにおいては、回路基板１４の４つの辺部の内の１つである第４周縁部１４ｅを第４外周壁２１ｅの内壁面に対して間隔を空けて対向配置させる（図８）。
【００３６】
第１接続電線ＷＥ１の中間接続部ＷＥａ１と第２接続電線ＷＥ２の中間接続部ＷＥａ２は、その回路基板１４上の第１回路接続部材１２と第２回路接続部材１３とに各々載せ置かれる。この例示の箱部材２１においては、第１接続電線ＷＥ１の中間接続部ＷＥａ１よりも一端側を収容室２０ａの中から外方に引き出させる第１引出部２１ｂ１が第１外周壁２１ｂに形成され、第１接続電線ＷＥ１の中間接続部ＷＥａ１よりも他端側を収容室２０ａの中から外方に引き出させる第２引出部２１ｄ１が第３外周壁２１ｄに形成されている（図２、図３及び図５から図８）。また、この例示の箱部材２１においては、第２接続電線ＷＥ２の中間接続部ＷＥａ２よりも一端側を収容室２０ａの中から外方に引き出させる第３引出部２１ｂ２が第１外周壁２１ｂに形成され、第２接続電線ＷＥ２の中間接続部ＷＥａ２よりも他端側を収容室２０ａの中から外方に引き出させる第４引出部２１ｄ２が第３外周壁２１ｄに形成されている（図２、図３及び図５から図８）。
【００３７】
蓋部材２２は、閉塞壁と外周壁とを有し、その閉塞壁で部品挿入口２０ｂを塞ぐ。この例示の蓋部材２２は、矩形且つ平板状の閉塞壁２２ａと、この閉塞壁２２ａの４つの辺部から各々立設させた第１から第４の外周壁２２ｂ−２２ｅと、を有する（図２及び図３）。この蓋部材２２においては、第１から第４の外周壁２２ｂ−２２ｅについても、各々、矩形且つ平板状に形成されている。
【００３８】
この例示の蓋部材２２は、箱部材２１に組み付けた際に、第１外周壁２２ｂを箱部材２１の第１外周壁２１ｂの外壁面に対向配置させ、かつ、第２外周壁２２ｃを箱部材２１の第２外周壁２１ｃの外壁面に対向配置させ、かつ、第３外周壁２２ｄを箱部材２１の第３外周壁２１ｄの外壁面に対向配置させ、かつ、第４外周壁２２ｅを箱部材２１の第４外周壁２１ｅの外壁面に対向配置させる。よって、第１外周壁２２ｂには、組付け状態で第１引出部２１ｂ１に対向配置させる第１引出部２２ｂ１と、組付け状態で第３引出部２１ｂ２に対向配置させる第３引出部２２ｂ２とが形成されている（図２）。また、第３外周壁２２ｄには、組付け状態で第２引出部２１ｄ１に対向配置させる第２引出部２２ｄ１と、組付け状態で第４引出部２１ｄ２に対向配置させる第４引出部２２ｄ２とが形成されている（図２）。
【００３９】
この筐体２０においては、第１接続電線ＷＥ１の中間接続部ＷＥａ１を第１回路接続部材１２に電気接続させた上で、第１接続電線ＷＥ１の一端側を第１引出部２１ｂ１と第１引出部２２ｂ１から外方に引き出させ、第１接続電線ＷＥ１の他端側を第２引出部２１ｄ１と第２引出部２２ｄ１から外方に引き出させることによって、その第１接続電線ＷＥ１を第１配索経路に沿って配策させることが可能になる。また、この筐体２０においては、第２接続電線ＷＥ２の中間接続部ＷＥａ２を第２回路接続部材１３に電気接続させた上で、第２接続電線ＷＥ２の一端側を第３引出部２１ｂ２と第３引出部２２ｂ２から外方に引き出させ、第２接続電線ＷＥ２の他端側を第４引出部２１ｄ２と第４引出部２２ｄ２から外方に引き出させることによって、その第２接続電線ＷＥ２を第２配索経路に沿って配策させることが可能になる。この筐体２０においては、第１接続電線ＷＥ１を第１配索経路に沿って配策させ、かつ、第２接続電線ＷＥ２を第２配索経路に沿って配策させることによって、その第１接続電線ＷＥ１と第２接続電線ＷＥ２とが併走状態で収容室２０ａに収容される。
【００４０】
この筐体２０は、図示しないが、箱部材２１と蓋部材２２とを組付け完了状態で保持する保持構造を備える。この保持構造は、例えば、箱部材２１と蓋部材２２の内の一方に設けた突起部と、この突起部を嵌入させる貫通孔状又は溝状の嵌入部と、を備える。
【００４１】
このノイズフィルタ１において、第１接続電線ＷＥ１及び第２接続電線ＷＥ２としては、各々、芯線ＷＥａ及び被覆ＷＥｂで円柱を成す電線であり、小径電線又は小径電線よりも外径の大きい大径電線が用いられる。小径電線及び大径電線とは、それぞれでフィルタ回路１０と筐体２０の共用化を可能にする外径差の電線のことであり、例えば、小径電線を基準径の電線と定義するならば、その小径電線よりも外径が規格上で１サイズ大きい電線、その小径電線よりも外径が一回り大きい電線等を大径電線と定める。
【００４２】
このノイズフィルタ１においては、箱部材２１と蓋部材２２とを組み付けることによって、部品面１４ａに向けた押圧力を閉塞壁２２ａからそれぞれの中間接続部ＷＥａ１，ＷＥａ２側に作用させる。これに伴い、このノイズフィルタ１においては、それぞれの中間接続部ＷＥａ１，ＷＥａ２側が各々接点部１２ｂ，１３ｂに接触したまま第１回路接続部材１２と第２回路接続部材１３を撓ませ、その撓みに応じた反力をそれぞれの中間接続部ＷＥａ１，ＷＥａ２側に作用させる。よって、このノイズフィルタ１においては、閉塞壁２２ａと第１回路接続部材１２とで第１接続電線ＷＥ１の中間接続部ＷＥａ１側が挟持され、かつ、閉塞壁２２ａと第２回路接続部材１３とで第２接続電線ＷＥ２の中間接続部ＷＥａ２側が挟持されて、それぞれの中間接続部ＷＥａ１，ＷＥａ２が収容室２０ａで保持される。フィルタ回路１０と筐体２０は、第１接続電線ＷＥ１及び第２接続電線ＷＥ２として小径電線が用いられようとも、第１接続電線ＷＥ１及び第２接続電線ＷＥ２として大径電線が用いられようとも、そのような収容室２０ａでのそれぞれの中間接続部ＷＥａ１，ＷＥａ２の保持が行えるように形成する。この例示では、第１接続電線ＷＥ１の中間接続部ＷＥａ１が端子金具３０を介して収容室２０ａで保持され、第２接続電線ＷＥ２の中間接続部ＷＥａ２が端子金具３０を介して収容室２０ａで保持されている。
【００４３】
ここで、このノイズフィルタ１においては、閉塞壁２２ａからそれぞれの中間接続部ＷＥａ１，ＷＥａ２側に押圧力を作用させ難い場合、例えば、中間接続部ＷＥａ１に押圧力を作用させるための押圧部（図示略）と、中間接続部ＷＥａ２に押圧力を作用させるための押圧部（図示略）と、を閉塞壁２２ａに突出状態で設ければよい。
【００４４】
ところで、ノイズフィルタ１には、車両の振動や加減速等に伴う外部入力が作用する。このため、このノイズフィルタ１においては、第１回路接続部材１２と第１接続電線ＷＥ１の中間接続部ＷＥａ１との間を所期の通電状態に保つべく、第１回路接続部材１２と閉塞壁２２ａ（又は閉塞壁２２ａの押圧部）とによる中間接続部ＷＥａ１に対する保持力の低下を抑えることが望まれる。これと同じように、このノイズフィルタ１においては、第２回路接続部材１３と第２接続電線ＷＥ２の中間接続部ＷＥａ２との間を所期の通電状態に保つべく、第２回路接続部材１３と閉塞壁２２ａ（又は閉塞壁２２ａの押圧部）とによる中間接続部ＷＥａ２に対する保持力の低下を抑えることが望まれる。
【００４５】
そのような保持力の低下は、第１回路接続部材１２と第１接続電線ＷＥ１の中間接続部ＷＥａ１との間の相対的な位置ずれと、第２回路接続部材１３と第２接続電線ＷＥ２の中間接続部ＷＥａ２との間の相対的な位置ずれと、によって生じる。本実施形態のノイズフィルタ１においては、これらの位置ずれを抑えるべく、フィルタ回路１０と筐体２０の相対的な位置ずれを抑制させると共に、筐体２０と第１接続電線ＷＥ１の相対的な位置ずれ及び筐体２０と第２接続電線ＷＥ２の相対的な位置ずれを抑制させる。
【００４６】
先ず、本実施形態のノイズフィルタ１は、フィルタ回路１０と筐体２０の相対的な位置ずれを抑えるべく、部品面１４ａに沿い且つ互いに直交する２方向で収容室２０ａ内の回路基板１４を弾性保持する弾性保持構造４０を備える（図１から図３及び図５から図１０）。
【００４７】
その弾性保持構造４０は、部品面１４ａに沿う第１方向の弾発力を収容室２０ａの中で回路基板１４に付与させると共に、部品面１４ａに沿い且つ第１方向に直交する第２方向の弾発力を収容室２０ａの中で回路基板１４に付与させて、その第１方向及び第２方向で回路基板１４を弾性保持するものとして構成する。これにより、この弾性保持構造４０は、収容室２０ａの中で筐体２０に対するフィルタ回路１０のがたつきを抑え、フィルタ回路１０と筐体２０との間の相対的な位置ずれを抑制することができる。この弾性保持構造４０は、筐体２０に設ける。
【００４８】
例えば、弾性保持構造４０は、第１方向の弾発力を発生させる第１弾性部４１と、第２方向の弾発力を発生させる第２弾性部４２と、第１方向の弾発力が付与された回路基板１４に対して第１方向とは逆向きの第３方向の弾発力を付与する第３弾性部４３と、第２方向の弾発力が付与された回路基板１４に対して第２方向とは逆向きの第４方向の弾発力を付与する第４弾性部４４と、を備える（図２及び図７から図１０）。
【００４９】
第１弾性部４１は、箱部材２１の第１外周壁２１ｂと回路基板１４の第１周縁部１４ｂとの間に介在させる。第２弾性部４２は、箱部材２１の第２外周壁２１ｃと回路基板１４の第２周縁部１４ｃとの間に介在させる。第３弾性部４３は、箱部材２１の第３外周壁２１ｄと回路基板１４の第３周縁部１４ｄとの間に介在させる。第４弾性部４４は、箱部材２１の第４外周壁２１ｅと回路基板１４の第４周縁部１４ｅとの間に介在させる。
【００５０】
この弾性保持構造４０においては、回路基板１４が収容室２０ａに収容された際に、その回路基板１４の第１周縁部１４ｂに押動されて第１弾性部４１を弾性変形させつつ、その回路基板１４の第３周縁部１４ｄに押動されて第３弾性部４３を弾性変形させるものとして、その第１弾性部４１と第３弾性部４３を形成し且つ配置する（図９）。これにより、この弾性保持構造４０においては、第１弾性部４１が第１方向の弾発力を回路基板１４の第１周縁部１４ｂに付与し、かつ、第３弾性部４３が第３方向の弾発力を回路基板１４の第３周縁部１４ｄに付与する。つまり、この弾性保持構造４０は、その第１弾性部４１と第３弾性部４３が回路基板１４を第１周縁部１４ｂ側と第３周縁部１４ｄ側から弾性変形しながら挟み込むので、その回路基板１４の筐体２０に対する第１方向（第３方向）のがたつきを抑え、その第１方向（第３方向）でのフィルタ回路１０と筐体２０との間の相対的な位置ずれを抑制することができる。
【００５１】
更に、この弾性保持構造４０においては、回路基板１４が収容室２０ａに収容された際に、その回路基板１４の第２周縁部１４ｃに押動されて第２弾性部４２を弾性変形させつつ、その回路基板１４の第４周縁部１４ｅに押動されて第４弾性部４４を弾性変形させるものとして、その第２弾性部４２と第４弾性部４４を形成し且つ配置する（図１０）。これにより、この弾性保持構造４０においては、第２弾性部４２が第２方向の弾発力を回路基板１４の第２周縁部１４ｃに付与し、かつ、第４弾性部４４が第４方向の弾発力を回路基板１４の第４周縁部１４ｅに付与する。つまり、この弾性保持構造４０は、その第２弾性部４２と第４弾性部４４が回路基板１４を第２周縁部１４ｃ側と第４周縁部１４ｅ側から弾性変形しながら挟み込むので、その回路基板１４の筐体２０に対する第２方向（第４方向）のがたつきを抑え、その第２方向（第４方向）でのフィルタ回路１０と筐体２０との間の相対的な位置ずれを抑制することができる。
【００５２】
この例示では、その第１弾性部４１と第２弾性部４２と第３弾性部４３と第４弾性部４４を筐体２０との一体成形品として設けている（図９及び図１０）。ここでは、第１弾性部４１と第２弾性部４２と第３弾性部４３と第４弾性部４４を箱部材２１に設けている。第１弾性部４１は、箱部材２１の第１外周壁２１ｂの内壁面に突出状態で設けている（図９）。この第１弾性部４１は、第１外周壁２１ｂの内壁面から第３外周壁２１ｄの内壁面に向けて突出させ、かつ、底壁２１ａに向けて屈曲させている。第２弾性部４２は、箱部材２１の第２外周壁２１ｃの内壁面に突出状態で設けている（図１０）。この第２弾性部４２は、第２外周壁２１ｃの内壁面から第４外周壁２１ｅの内壁面に向けて突出させ、かつ、底壁２１ａに向けて屈曲させている。第３弾性部４３は、箱部材２１の第３外周壁２１ｄの内壁面に突出状態で設けている（図９）。この第３弾性部４３は、第３外周壁２１ｄの内壁面から第１外周壁２１ｂの内壁面に向けて突出させ、かつ、底壁２１ａに向けて屈曲させている。第４弾性部４４は、箱部材２１の第４外周壁２１ｅの内壁面に突出状態で設けている（図１０）。この第４弾性部４４は、第４外周壁２１ｅの内壁面から第２外周壁２１ｃの内壁面に向けて突出させ、かつ、底壁２１ａに向けて屈曲させている。ここで例示している箱部材２１は、例えば、所謂３Ｄプリンタ等を用いて成形される。
【００５３】
続いて、本実施形態のノイズフィルタ１は、筐体２０と第１接続電線ＷＥ１の相対的な位置ずれ及び筐体２０と第２接続電線ＷＥ２の相対的な位置ずれを抑えるべく、筐体２０の第１配索経路上における第１回路接続部材１２の接点部１２ｂに対する一方側と他方側とに各々設け、かつ、筐体２０の第２配索経路上における第２回路接続部材１３の接点部１３ｂに対する一方側と他方側とに各々設けた電線保持構造５０を備える（図１から図３、図５から図８及び図１０から図１２）。
【００５４】
第１配索経路上のそれぞれの電線保持構造５０は、第１接続電線ＷＥ１として小径電線が用いられた場合でも、第１接続電線ＷＥ１として大径電線が用いられた場合でも、その小径電線と大径電線の内の何れか一方を保持し得るものとして構成する。また、第２配索経路上のそれぞれの電線保持構造５０は、第２接続電線ＷＥ２として小径電線が用いられた場合でも、第２接続電線ＷＥ２として大径電線が用いられた場合でも、その小径電線と大径電線の内の何れか一方を保持し得るものとして構成する。
【００５５】
本実施形態の電線保持構造５０は、互いに間隔を空けて対向配置され、小径電線と大径電線の内の何れか一方を保持することが可能な可撓性を持つ２つの突起部５１を備える（図２、図７、図８及び図１０から図１２）。その２つの突起部５１は、自らの撓みに伴い小径電線の最大外径部を乗り越えさせることが可能で、かつ、その乗り越え後の撓みの解消に伴い小径電線を挟持することが可能で、かつ、自らが最大限撓んでも大径電線の最大外径部を乗り越えさせることが不能で、かつ、大径電線を挟持することが可能な形状及び間隔のものとして設ける。つまり、この２つの突起部５１は、第１接続電線ＷＥ１や第２接続電線ＷＥ２として小径電線が用いられる場合、その小径電線で弾性変形させられながら、この小径電線の最大外径部を乗り越えさせ、その乗り越え後に撓みが解消させられることによって、小径電線を挟持させるように形成及び配置されている。更に、この２つの突起部５１は、第１接続電線ＷＥ１や第２接続電線ＷＥ２として大径電線が用いられる場合、その大径電線で最大限弾性変形させられたとしても、この大径電線の最大外径部を乗り越えさせないが、この大径電線を挟持させることができるように形成及び配置されている。
【００５６】
ここで示す電線保持構造５０は、小径電線と大径電線の内の何れか一方の収容が可能な電線収容部５２を備える（図１から図３、図５から図８及び図１０から図１２）。その電線収容部５２は、小径電線と大径電線の内の何れか一方を挿入させることが可能な電線挿入口５２ａと、円弧状に形成された弧状面５２ｂと、弧状面５２ｂの一端から電線挿入口５２ａまで延出させた第１側壁面５２ｃと、弧状面５２ｂの他端から電線挿入口５２ａまで延出させ、第１側壁面５２ｃに対して間隔を空けて対向配置された第２側壁面５２ｄと、を有している（図１１及び図１２）。この電線保持構造５０において、２つの突起部５１は、その内の一方を第１側壁面５２ｃに設け、その内の他方を第２側壁面５２ｄに設ける。
【００５７】
具体的に、それぞれの電線保持構造５０は、箱部材２１と蓋部材２２の内の何れか一方に設ける。この例示では、それぞれの電線保持構造５０を箱部材２１に設けている。ここで示すそれぞれの電線保持構造５０は、各々、第１引出部２１ｂ１と第２引出部２１ｄ１と第３引出部２１ｂ２と第４引出部２１ｄ２を電線収容部５２として利用する（図２、図３及び図５から図８）。つまり、ここでは、第１外周壁２１ｂと第３外周壁２１ｄに２箇所ずつ電線保持構造５０が設けられている。第１配索経路上では、第１引出部２１ｂ１の周壁面に２つの突起部５１が設けられ、かつ、第２引出部２１ｄ１の周壁面に２つの突起部５１が設けられている。また、第２配索経路上では、第３引出部２１ｂ２の周壁面に２つの突起部５１が設けられ、かつ、第４引出部２１ｄ２の周壁面に２つの突起部５１が設けられている。それぞれの電線保持構造５０は、第１接続電線ＷＥ１や第２接続電線ＷＥ２を被覆ＷＥｂ側から２つの突起部５１で挟み込んで保持させる。
【００５８】
本実施形態のノイズフィルタ１は、第１接続電線ＷＥ１と第２接続電線ＷＥ２の双方に小径電線ＷＥＳを用いてもよく（図１から図３及び図１２）、第１接続電線ＷＥ１と第２接続電線ＷＥ２の双方に大径電線ＷＥＬを用いてもよい（図１３から図１６）。また、本実施形態のノイズフィルタ１は、第１接続電線ＷＥ１と第２接続電線ＷＥ２の内の一方に小径電線ＷＥＳを用い、その内の他方に大径電線ＷＥＬを用いてもよい。
【００５９】
それぞれの電線保持構造５０においては、第１接続電線ＷＥ１や第２接続電線ＷＥ２として小径電線ＷＥＳが用いられる場合、２つの突起部５１を乗り越えさせるべく、電線挿入口５２ａから挿入された小径電線ＷＥＳに力を加える。これにより、それぞれの電線保持構造５０においては、その小径電線ＷＥＳが２つの突起部５１を弾性変形させながら乗り越えて、その乗り越えた先の弧状面５２ｂと弾性変形が解消された２つの突起部５１とで挟み込まれる（図１、図２及び図１２）。よって、それぞれの電線保持構造５０は、第１接続電線ＷＥ１や第２接続電線ＷＥ２として用いられた小径電線ＷＥＳを筐体２０に保持させることができる。
【００６０】
一方、それぞれの電線保持構造５０においては、第１接続電線ＷＥ１や第２接続電線ＷＥ２として大径電線ＷＥＬが用いられる場合、電線挿入口５２ａから挿入された大径電線ＷＥＬを２つの突起部５１に押し付けながら、その２つの突起部５１を弾性変形させる。これに伴い、それぞれの電線保持構造５０においては、その２つの突起部５１における撓みの解消方向の力を大径電線ＷＥＬに作用させ、その大径電線ＷＥＬを２つの突起部５１に挟持させる（図１３、図１４及び図１６）。従って、それぞれの電線保持構造５０は、第１接続電線ＷＥ１や第２接続電線ＷＥ２として用いられた大径電線ＷＥＬを筐体２０に保持させることができる。
【００６１】
また、それぞれの電線保持構造５０においては、第１接続電線ＷＥ１や第２接続電線ＷＥ２として大径電線ＷＥＬが用いられる場合、例えば、電線挿入口５２ａから挿入された大径電線ＷＥＬを２つの突起部５１に載せ置いてから、この箱部材２１に蓋部材２２を組み付ける（図１３から図１６）。ここで、その蓋部材２２において、第１引出部２２ｂ１と第２引出部２２ｄ１と第３引出部２２ｂ２と第４引出部２２ｄ２は、各々、小径電線と大径電線の内の何れか一方を挿入させることが可能な電線挿入口２２ｂ１１、２２ｄ１１、２２ｂ２１、２２ｄ２１と、円弧状に形成された弧状面２２ｂ１２、２２ｄ１２、２２ｂ２２、２２ｄ２２と、弧状面２２ｂ１２、２２ｄ１２、２２ｂ２２、２２ｄ２２の一端から電線挿入口２２ｂ１１、２２ｄ１１、２２ｂ２１、２２ｄ２１まで延出させた第１側壁面２２ｂ１３、２２ｄ１３、２２ｂ２３、２２ｄ２３と、弧状面２２ｂ１２、２２ｄ１２、２２ｂ２２、２２ｄ２２の他端から電線挿入口２２ｂ１１、２２ｄ１１、２２ｂ２１、２２ｄ２１まで延出させ、第１側壁面２２ｂ１３、２２ｄ１３、２２ｂ２３、２２ｄ２３に対して間隔を空けて対向配置された第２側壁面２２ｂ１４、２２ｄ１４、２２ｂ２４、２２ｄ２４と、を有している（図１５）。例えば、このノイズフィルタ１においては、箱部材２１に蓋部材２２を組み付けることによって、その蓋部材２２の弧状面２２ｂ１２、２２ｄ１２、２２ｂ２２、２２ｄ２２に大径電線ＷＥＬを押動させながら、その大径電線ＷＥＬからの押付力によって２つの突起部５１を弾性変形させる。よって、それぞれの電線保持構造５０においては、その弧状面２２ｂ１２、２２ｄ１２、２２ｂ２２、２２ｄ２２と２つの突起部５１とで大径電線ＷＥＬが挟み込まれる（図１３、図１４及び図１６）。従って、それぞれの電線保持構造５０は、第１接続電線ＷＥ１や第２接続電線ＷＥ２として用いられた大径電線ＷＥＬを筐体２０に保持させることができる。
【００６２】
以上示したように、本実施形態のノイズフィルタ１は、弾性保持構造４０によって第１方向と第２方向とで回路基板１４が弾性保持されるので、その第１方向と第２方向においての筐体２０に対するフィルタ回路１０のがたつきを抑え、その第１方向と第２方向でのフィルタ回路１０と筐体２０との間の相対的な位置ずれを抑制することができる。そして、このノイズフィルタ１は、振動等の外部入力が作用した際に、回路基板１４に作用した外部入力を弾性保持構造４０で吸収することができる。よって、このノイズフィルタ１は、振動等の外部入力が作用した際にも、第１方向と第２方向においての筐体２０に対するフィルタ回路１０のがたつきを抑え、その第１方向と第２方向でのフィルタ回路１０と筐体２０との間の相対的な位置ずれを抑制することができる。
【００６３】
その具体例では、第１弾性部４１と第２弾性部４２と第３弾性部４３と第４弾性部４４とによって第１方向（第３方向）と第２方向（第４方向）とで回路基板１４が弾性保持されるので、その第１方向（第３方向）と第２方向（第４方向）においての筐体２０に対するフィルタ回路１０のがたつきを抑え、その第１方向（第３方向）と第２方向（第４方向）でのフィルタ回路１０と筐体２０との間の相対的な位置ずれが抑制される。そして、この具体例のノイズフィルタ１は、振動等の外部入力が作用した際に、回路基板１４に作用した外部入力を第１弾性部４１と第２弾性部４２と第３弾性部４３と第４弾性部４４とで吸収することができる。よって、このノイズフィルタ１は、振動等の外部入力が作用した際にも、第１方向（第３方向）と第２方向（第４方向）においての筐体２０に対するフィルタ回路１０のがたつきを抑え、その第１方向（第３方向）と第２方向（第４方向）でのフィルタ回路１０と筐体２０との間の相対的な位置ずれを抑制することができる。
【００６４】
このように、本実施形態のノイズフィルタ１は、第１方向と第２方向においてのフィルタ回路１０と筐体２０との間の相対的な位置ずれを抑制することができるので、その第１方向と第２方向での第１回路接続部材１２と第１接続電線ＷＥ１の中間接続部ＷＥａ１との間の相対的な位置ずれの抑制も可能になり、かつ、その第１方向と第２方向での第２回路接続部材１３と第２接続電線ＷＥ２の中間接続部ＷＥａ２との間の相対的な位置ずれの抑制も可能になる。従って、このノイズフィルタ１は、弾性保持構造４０によって、第１回路接続部材１２と中間接続部ＷＥａ１との間を所期の通電状態に保ちつつ、第２回路接続部材１３と中間接続部ＷＥａ２との間を所期の通電状態に保つことができるので、ノイズ低減機能を保ち続けることができる。
【００６５】
更に、本実施形態のノイズフィルタ１は、外径の異なる電線間でフィルタ回路１０と筐体２０を共用することができる。つまり、本実施形態のノイズフィルタ１は、第１接続電線ＷＥ１や第２接続電線ＷＥ２として小径電線ＷＥＳが用いられる場合でも、第１接続電線ＷＥ１や第２接続電線ＷＥ２として大径電線ＷＥＬが用いられる場合でも、その第１接続電線ＷＥ１と第２接続電線ＷＥ２をそれぞれの電線保持構造５０によって筐体２０に保持させることができる。よって、本実施形態のノイズフィルタ１は、フィルタ回路１０や筐体２０の品番管理が容易なものとなり、かつ、原価の低減を図ることができる。また、このノイズフィルタ１は、それぞれの電線保持構造５０による第１接続電線ＷＥ１や第２接続電線ＷＥ２の保持機能によって、第１接続電線ＷＥ１や第２接続電線ＷＥ２が小径電線ＷＥＳであるのか大径電線ＷＥＬであるのかに拘わらず、振動等の外部入力が第１接続電線ＷＥ１や第２接続電線ＷＥ２に作用した際に、筐体２０に対する第１接続電線ＷＥ１や第２接続電線ＷＥ２の電線軸方向への位置ずれを抑えることができる。よって、本実施形態のノイズフィルタ１は、第１接続電線ＷＥ１や第２接続電線ＷＥ２が小径電線ＷＥＳであるのか大径電線ＷＥＬであるのかに拘わらず、電線軸方向での第１回路接続部材１２と第１接続電線ＷＥ１の中間接続部ＷＥａ１との間の相対的な位置ずれの抑制も可能になり、かつ、電線軸方向での第２回路接続部材１３と第２接続電線ＷＥ２の中間接続部ＷＥａ２との間の相対的な位置ずれの抑制も可能になる。従って、このノイズフィルタ１は、それぞれの電線保持構造５０によって、第１接続電線ＷＥ１や第２接続電線ＷＥ２が小径電線ＷＥＳであるのか大径電線ＷＥＬであるのかに拘わらず、第１回路接続部材１２と中間接続部ＷＥａ１との間を所期の通電状態に保ちつつ、第２回路接続部材１３と中間接続部ＷＥａ２との間を所期の通電状態に保つことができるので、ノイズ低減機能を保ち続けることができる。
【００６６】
また更に、本実施形態のノイズフィルタ１は、それぞれの電線保持構造５０を次のように構成することによって、ノイズ低減機能の保持性能を向上させることができる。
【００６７】
第１配索経路上の２つの電線保持構造５０におけるそれぞれの２つの突起部５１は、小径電線ＷＥＳを保持しているときに、第１接続電線ＷＥ１の中間接続部ＷＥａ１側（ここでは、端子金具３０）から接点部１２ｂに押圧力を作用させ、その押圧力で第１回路接続部材１２を弾性変形させるものとして形成及び配置する。そして、このそれぞれの２つの突起部５１は、大径電線ＷＥＬを保持しているときに、第１接続電線ＷＥ１の中間接続部ＷＥａ１側（ここでは、端子金具３０）から接点部１２ｂに押圧力を作用させ、その押圧力で第１回路接続部材１２を弾性変形させるものとして形成及び配置する。これにより、第１配索経路上では、第１接続電線ＷＥ１が小径電線ＷＥＳであるのか大径電線ＷＥＬであるのかに拘わらず、この第１接続電線ＷＥ１をそれぞれの電線保持構造５０で保持させることによって、中間接続部ＷＥａ１側を第１回路接続部材１２に対して的確に電気接続させることができる。このように、第１配索経路上の２つの電線保持構造５０は、第１回路接続部材１２と中間接続部ＷＥａ１との間の電気接続品質を向上させることができる。また、このノイズフィルタ１は、第２配索経路上の２つの電線保持構造５０についても、第１配索経路上の２つの電線保持構造５０と同じように構成することによって、第２回路接続部材１３と第２接続電線ＷＥ２の中間接続部ＷＥａ２との間の電気接続品質を向上させることができる。従って、このノイズフィルタ１は、第１回路接続部材１２と中間接続部ＷＥａ１との間及び第２回路接続部材１３と中間接続部ＷＥａ２との間における電線軸方向での位置ずれ抑制機能と相俟って、ノイズ低減機能を効果的に保ち続けることができる。
【００６８】
ここで、本実施形態のノイズフィルタ１は、弾性保持構造４０のみでも、それぞれの電線保持構造５０のみでも、ノイズ低減機能を保ち続けることができる。しかしながら、ここで示すノイズフィルタ１は、弾性保持構造４０とそれぞれの電線保持構造５０の双方を具備しているので、その各々が相俟って、第１回路接続部材１２と第１接続電線ＷＥ１の中間接続部ＷＥａ１との間の相対的な位置ずれや第２回路接続部材１３と第２接続電線ＷＥ２の中間接続部ＷＥａ２との間の相対的な位置ずれをより効果的に抑えることができる。従って、ここで示すノイズフィルタ１は、第１回路接続部材１２と中間接続部ＷＥａ１との間をより好ましい所期の通電状態に保ちつつ、第２回路接続部材１３と中間接続部ＷＥａ２との間をより好ましい所期の通電状態に保つことができるので、ノイズ低減機能を効果的に保ち続けることができる。
【００６９】
特に、このノイズフィルタ１においては、第１回路接続部材１２の弾性変形に伴う第１回路接続部材１２と閉塞壁２２ａとの間での中間接続部ＷＥａ１に対する弾性保持力の低下を抑えつつ、第２回路接続部材１３の弾性変形に伴う第２回路接続部材１３と閉塞壁２２ａとの間での中間接続部ＷＥａ２に対する弾性保持力の低下を抑えることができる。従って、このノイズフィルタ１は、この点からも、より効果的にノイズ低減機能を保ち続けることができる。
【００７０】
また、本実施形態のワイヤハーネスＷＨは、そのようなノイズフィルタ１を具備するものであり、このノイズフィルタ１が得られる効果を奏することができる。
【００７１】
ところで、それぞれの電線保持構造５０は、蓋部材２２に設ける場合、各々、その蓋部材２２の第１引出部２２ｂ１と第２引出部２２ｄ１と第３引出部２２ｂ２と第４引出部２２ｄ２を電線収容部５２として利用すればよい。本実施形態のノイズフィルタ１及びワイヤハーネスＷＨは、このようにそれぞれの電線保持構造５０を蓋部材２２に設けたとしても、それぞれの電線保持構造５０を箱部材２１に設けた先の例示と同様の効果を得ることができる。
【００７２】
［変形例］
図１７から図１９の符号２は、本変形例のノイズフィルタを示す。このノイズフィルタ２は、前述した実施形態のノイズフィルタ１において以下の点を変更したものである。そこで、以下の説明においては、実施形態のノイズフィルタ１と同じ部品や同等の機能を為す部位等について、便宜上、そのノイズフィルタ１と同じ符号を付し、その説明を省略する。
【００７３】
このノイズフィルタ２は、実施形態のノイズフィルタ１において、筐体２０を下記の筐体１２０に置き換え、かつ、それぞれの電線保持構造５０を各々下記の電線保持構造１５０に置き換えたものである（図１７及び図１９）。
【００７４】
本変形例の筐体１２０は、実施形態の筐体２０において、箱部材２１を下記の箱部材１２１に置き換え、かつ、蓋部材２２を下記の蓋部材１２２に置き換えたものである（図１７から図１９）。
【００７５】
箱部材１２１は、先の箱部材２１と同様の底壁１２１ａと第１から第４の外周壁１２１ｂ−１２１ｅとを有している（図１８）。この箱部材１２１においては、その底壁１２１ａと第１から第４の外周壁１２１ｂ−１２１ｅとで囲まれた空間が収容室１２０ａとして利用され、その収容室１２０ａの開口が部品挿入口１２０ｂとして利用される。また、この箱部材１２１においては、先の箱部材２１と同じように、第１接続電線ＷＥ１の一方の端部側を収容室１２０ａの中から外方に引き出させる第１引出部１２１ｂ１が第１外周壁１２１ｂに形成され、第１接続電線ＷＥ１の他方の端部側を収容室１２０ａの中から外方に引き出させる第２引出部１２１ｄ１が第３外周壁１２１ｄに形成されている（図１８）。そして、この箱部材１２１においては、第２接続電線ＷＥ２の一方の端部側を収容室１２０ａの中から外方に引き出させる第３引出部１２１ｂ２が第１外周壁１２１ｂに形成され、第２接続電線ＷＥ２の他方の端部側を収容室１２０ａの中から外方に引き出させる第４引出部１２１ｄ２が第３外周壁１２１ｄに形成されている（図１８）。その第１引出部１２１ｂ１、第２引出部１２１ｄ１、第３引出部１２１ｂ２及び第４引出部１２１ｄ２は、各々、先の第１引出部２１ｂ１、第２引出部２１ｄ１、第３引出部２１ｂ２及び第４引出部２１ｄ２と同等の形状のものとして形成されている。
【００７６】
蓋部材１２２は、先の蓋部材２２と同様の閉塞壁１２２ａと第１から第４の外周壁１２２ｂ−１２２ｅとを有している（図１９から図２２）。この蓋部材１２２においては、先の蓋部材２２と同じように、第１接続電線ＷＥ１の一方の端部側を外方に引き出させる第１引出部１２２ｂ１が第１外周壁１２２ｂに形成され、第１接続電線ＷＥ１の他方の端部側を外方に引き出させる第２引出部１２２ｄ１が第３外周壁１２２ｄに形成されている（図１９から図２２）。そして、この蓋部材１２２においては、第２接続電線ＷＥ２の一方の端部側を外方に引き出させる第３引出部１２２ｂ２が第１外周壁１２２ｂに形成され、第２接続電線ＷＥ２の他方の端部側を外方に引き出させる第４引出部１２２ｄ２が第３外周壁１２２ｄに形成されている（図１９から図２２）。その第１引出部１２２ｂ１、第２引出部１２２ｄ１、第３引出部１２２ｂ２及び第４引出部１２２ｄ２は、各々、先の第１引出部２２ｂ１、第２引出部２２ｄ１、第３引出部２２ｂ２及び第４引出部２２ｄ２と同等の形状のものとして形成されている。
【００７７】
本変形例の電線保持構造１５０は、実施形態の電線保持構造５０と同じように、互いに間隔を空けて対向配置され、小径電線と大径電線の内の何れか一方を保持することが可能な可撓性を持つ２つの突起部１５１と、小径電線と大径電線の内の何れか一方の収容が可能な電線収容部１５２と、を備える（図２０及び図２２）。その２つの突起部１５１は、実施形態の２つの突起部５１と同様のものとして形成及び配置されている。また、電線収容部１５２は、実施形態の電線収容部５２と同じように、小径電線と大径電線の内の何れか一方を挿入させることが可能な電線挿入口１５２ａと、円弧状に形成された弧状面１５２ｂと、弧状面１５２ｂの一端から電線挿入口１５２ａまで延出させた第１側壁面１５２ｃと、弧状面１５２ｂの他端から電線挿入口１５２ａまで延出させ、第１側壁面１５２ｃに対して間隔を空けて対向配置された第２側壁面１５２ｄと、を有している（図２３）。この電線保持構造１５０においても、２つの突起部１５１は、その内の一方を第１側壁面１５２ｃに設け、その内の他方を第２側壁面１５２ｄに設けている。
【００７８】
それぞれの電線保持構造１５０は、箱部材１２１と蓋部材１２２の内の何れか一方に設ける。この例示では、それぞれの電線保持構造１５０を蓋部材１２２に設けている。ここで示すそれぞれの電線保持構造１５０は、各々、その蓋部材１２２の閉塞壁１２２ａの内壁面１２２ａ１に突出状態で設けられ、小径電線と大径電線の内の一方を保持することが可能な電線保持体１５３を備える（図１９から図２２）。電線収容部１５２は、その電線保持体１５３に設ける（図２０から図２２）。
【００７９】
第１配索経路上のそれぞれの電線保持構造１５０においては、電線保持体１５３を第１引出部１２２ｂ１と第２引出部１２２ｄ１に対して各々間隔を空けて隣設させる。また、第２配索経路上のそれぞれの電線保持構造１５０においては、電線保持体１５３を第３引出部１２２ｂ２と第４引出部１２２ｄ２に対して各々間隔を空けて隣設させる。
【００８０】
本変形例のノイズフィルタ２においては、それぞれの電線保持構造１５０で第１接続電線ＷＥ１と第２接続電線ＷＥ２を蓋部材１２２に保持させる（図２４及び図２５）。一方、このノイズフィルタ２においては、箱部材１２１にフィルタ回路１０を設置しておく。そして、このノイズフィルタ２においては、その箱部材１２１に蓋部材１２２を第１接続電線ＷＥ１及び第２接続電線ＷＥ２と共に組み付けることによって、第１接続電線ＷＥ１を第１回路接続部材１２に電気接続させ、かつ、第２接続電線ＷＥ２を第２回路接続部材１３に電気接続させる。
【００８１】
それぞれの電線保持構造１５０においては、例えば、第１接続電線ＷＥ１や第２接続電線ＷＥ２として小径電線ＷＥＳが用いられる場合、２つの突起部１５１を乗り越えさせるべく、電線挿入口１５２ａから挿入された小径電線ＷＥＳに力を加える。これにより、それぞれの電線保持構造１５０においては、その小径電線ＷＥＳが２つの突起部１５１を弾性変形させながら乗り越えて、その乗り越えた先の弧状面１５２ｂと弾性変形が解消された２つの突起部１５１とで挟み込まれる（図２６）。よって、それぞれの電線保持構造１５０は、第１接続電線ＷＥ１や第２接続電線ＷＥ２として用いられた小径電線ＷＥＳを筐体１２０に保持させることができる。
【００８２】
一方、それぞれの電線保持構造１５０においては、第１接続電線ＷＥ１や第２接続電線ＷＥ２として大径電線ＷＥＬが用いられる場合、電線挿入口１５２ａから挿入された大径電線ＷＥＬを２つの突起部１５１に押し付けながら、その２つの突起部１５１を弾性変形させる。これに伴い、それぞれの電線保持構造１５０においては、その２つの突起部１５１における撓みの解消方向の力を大径電線ＷＥＬに作用させ、その大径電線ＷＥＬを２つの突起部１５１に挟持させる（図２７）。よって、それぞれの電線保持構造１５０は、第１接続電線ＷＥ１や第２接続電線ＷＥ２として用いられた大径電線ＷＥＬを筐体１２０に保持させることができる。
【００８３】
このように、本変形例のノイズフィルタ２は、実施形態のノイズフィルタ１と同じように、外径の異なる電線間でフィルタ回路１０と筐体１２０を共用することができる。つまり、本変形例のノイズフィルタ２は、第１接続電線ＷＥ１や第２接続電線ＷＥ２として小径電線ＷＥＳが用いられる場合でも、第１接続電線ＷＥ１や第２接続電線ＷＥ２として大径電線ＷＥＬが用いられる場合でも、その第１接続電線ＷＥ１と第２接続電線ＷＥ２をそれぞれの電線保持構造１５０によって筐体１２０に保持させることができる。よって、本変形例のノイズフィルタ２は、フィルタ回路１０や筐体１２０の品番管理が容易なものとなり、かつ、原価の低減を図ることができる。また、このノイズフィルタ２は、それぞれの電線保持構造１５０による第１接続電線ＷＥ１や第２接続電線ＷＥ２の保持機能によって、第１接続電線ＷＥ１や第２接続電線ＷＥ２が小径電線ＷＥＳであるのか大径電線ＷＥＬであるのかに拘わらず、振動等の外部入力が第１接続電線ＷＥ１や第２接続電線ＷＥ２に作用した際に、筐体１２０に対する第１接続電線ＷＥ１や第２接続電線ＷＥ２の電線軸方向への位置ずれを抑えることができる。よって、本変形例のノイズフィルタ２は、第１接続電線ＷＥ１や第２接続電線ＷＥ２が小径電線ＷＥＳであるのか大径電線ＷＥＬであるのかに拘わらず、電線軸方向での第１回路接続部材１２と第１接続電線ＷＥ１の中間接続部ＷＥａ１との間の相対的な位置ずれの抑制も可能になり、かつ、電線軸方向での第２回路接続部材１３と第２接続電線ＷＥ２の中間接続部ＷＥａ２との間の相対的な位置ずれの抑制も可能になる。従って、このノイズフィルタ２は、それぞれの電線保持構造１５０によって、第１接続電線ＷＥ１や第２接続電線ＷＥ２が小径電線ＷＥＳであるのか大径電線ＷＥＬであるのかに拘わらず、第１回路接続部材１２と中間接続部ＷＥａ１との間を所期の通電状態に保ちつつ、第２回路接続部材１３と中間接続部ＷＥａ２との間を所期の通電状態に保つことができるので、ノイズ低減機能を保ち続けることができる。
【００８４】
更に、本変形例のノイズフィルタ２は、それぞれの電線保持構造１５０を次のように構成することによって、ノイズ低減機能の保持性能を向上させることができる。
【００８５】
第１配索経路上の２つの電線保持構造１５０におけるそれぞれの２つの突起部１５１は、箱部材１２１と蓋部材１２２とが組付け状態で且つ小径電線ＷＥＳを保持しているときに、第１接続電線ＷＥ１の中間接続部ＷＥａ１側（ここでは、下記の端子金具１３０Ｓ）から接点部１２ｂに押圧力を作用させ、その押圧力で第１回路接続部材１２を弾性変形させるものとして形成及び配置する。そして、このそれぞれの２つの突起部１５１は、箱部材１２１と蓋部材１２２とが組付け状態で且つ大径電線ＷＥＬを保持しているときに、第１接続電線ＷＥ１の中間接続部ＷＥａ１側（ここでは、下記の端子金具１３０Ｌ）から接点部１２ｂに押圧力を作用させ、その押圧力で第１回路接続部材１２を弾性変形させるものとして形成及び配置する。これにより、第１配索経路上では、第１接続電線ＷＥ１が小径電線ＷＥＳであるのか大径電線ＷＥＬであるのかに拘わらず、この第１接続電線ＷＥ１をそれぞれの電線保持構造１５０で保持させることによって、中間接続部ＷＥａ１側を第１回路接続部材１２に対して的確に電気接続させることができる。このように、第１配索経路上の２つの電線保持構造１５０は、第１回路接続部材１２と中間接続部ＷＥａ１との間の電気接続品質を向上させることができる。また、このノイズフィルタ２は、第２配索経路上の２つの電線保持構造１５０についても、第１配索経路上の２つの電線保持構造１５０と同じように構成することによって、第２回路接続部材１３と第２接続電線ＷＥ２の中間接続部ＷＥａ２との間の電気接続品質を向上させることができる。従って、このノイズフィルタ２は、第１回路接続部材１２と中間接続部ＷＥａ１との間及び第２回路接続部材１３と中間接続部ＷＥａ２との間における電線軸方向での位置ずれ抑制機能と相俟って、ノイズ低減機能を効果的に保ち続けることができる。
【００８６】
ここで、本変形例のノイズフィルタ２においては、第１接続電線ＷＥ１と第２接続電線ＷＥ２とに各々取り付けられる端子金具１３０が設けられている。その端子金具１３０は、金属等の導電性材料で成形された導電部材である。この端子金具１３０については、小径電線ＷＥＳに取り付けられる端子金具１３０Ｓと、大径電線ＷＥＬに取り付けられる端子金具１３０Ｌと、に大別される（図２８及び図２９）。尚、この端子金具１３０（端子金具１３０Ｓ、端子金具１３０Ｌ）は、実施形態のノイズフィルタ１が取り付けられる第１接続電線ＷＥ１や第２接続電線ＷＥ２に設けてもよい。
【００８７】
端子金具１３０Ｓは、小径電線ＷＥＳの中間接続部ＷＥａ１（ＷＥａ２）に対して物理的且つ電気的に接続された小径芯線接続部１３１Ｓと、小径電線ＷＥＳにおける中間接続部ＷＥａ１（ＷＥａ２）よりも一端側を被覆ＷＥｂの上から保持する第１小径被覆保持部１３２Ｓと、小径電線ＷＥＳにおける中間接続部ＷＥａ１（ＷＥａ２）よりも他端側を被覆ＷＥｂの上から保持する第２小径被覆保持部１３３Ｓと、小径芯線接続部１３１Ｓ及び第１小径被覆保持部１３２Ｓを連結させる第１連結部１３４Ｓと、小径芯線接続部１３１Ｓ及び第２小径被覆保持部１３３Ｓを連結させる第２連結部１３５Ｓと、を有している（図２９）。
【００８８】
小径芯線接続部１３１Ｓは、小径電線ＷＥＳの中間接続部ＷＥａ１（ＷＥａ２）に対して巻き付けながら加締められ、加締め圧着後に筒状を成して中間接続部ＷＥａ１（ＷＥａ２）に対して物理的且つ電気的に接続される。第１回路接続部材１２は、小径芯線接続部１３１Ｓを接点部１２ｂに接触させることによって、小径電線ＷＥＳとしての第１接続電線ＷＥ１の中間接続部ＷＥａ１に対して間接的に電気接続される。また、第１回路接続部材１３は、小径芯線接続部１３１Ｓを接点部１３ｂに接触させることによって、小径電線ＷＥＳとしての第２接続電線ＷＥ２の中間接続部ＷＥａ２に対して間接的に電気接続される。
【００８９】
第１小径被覆保持部１３２Ｓは、小径電線ＷＥＳにおける中間接続部ＷＥａ１（ＷＥａ２）よりも一端側の被覆ＷＥｂに対して巻き付けながら加締められ、その中間接続部ＷＥａ１（ＷＥａ２）よりも一端側を加締め圧着後に筒状を成して被覆ＷＥｂの上から保持する。これと同じように、第２小径被覆保持部１３３Ｓは、小径電線ＷＥＳにおける中間接続部ＷＥａ１（ＷＥａ２）よりも他端側の被覆ＷＥｂに対して巻き付けながら加締められ、その中間接続部ＷＥａ１（ＷＥａ２）よりも他端側を加締め圧着後に筒状を成して被覆ＷＥｂの上から保持する。
【００９０】
このように、この端子金具１３０Ｓは、小径電線ＷＥＳにおける被覆ＷＥｂが中剥ぎされた中間接続部ＷＥａ１（ＷＥａ２）を小径芯線接続部１３１Ｓで保持すると共に、その中間接続部ＷＥａ１（ＷＥａ２）に隣接する一端側を被覆ＷＥｂの上から第１小径被覆保持部１３２Ｓで保持し、かつ、その中間接続部ＷＥａ１（ＷＥａ２）に隣接する他端側を被覆ＷＥｂの上から第２小径被覆保持部１３３Ｓで保持している。よって、この端子金具１３０Ｓは、小径電線ＷＥＳが電線軸方向に引っ張られた際の芯線ＷＥａに対する被覆ＷＥｂの電線軸方向への位置ずれを抑えることができるので、中間接続部ＷＥａ１（ＷＥａ２）の領域拡張を抑制することができる。
【００９１】
また、この端子金具１３０Ｓは、小径芯線接続部１３１Ｓ及び第１小径被覆保持部１３２Ｓを第１連結部１３４Ｓで連結させると共に、小径芯線接続部１３１Ｓ及び第２小径被覆保持部１３３Ｓを第２連結部１３５Ｓで連結させる。よって、この端子金具１３０Ｓは、その第１連結部１３４Ｓや第２連結部１３５Ｓを第１回路接続部材１２の接点部１２ｂ（第１回路接続部材１３の接点部１３ｂ）に向けて配置することによって、その接点部１２ｂ（接点部１３ｂ）に対しての接触可能な面積を拡大させることができる。従って、この端子金具１３０Ｓは、その接点部１２ｂ（接点部１３ｂ）に対する電気接続品質の向上を図ることができる。
【００９２】
端子金具１３０Ｌは、大径電線ＷＥＬの中間接続部ＷＥａ１（ＷＥａ２）に対して物理的且つ電気的に接続された大径芯線接続部１３１Ｌと、大径電線ＷＥＬにおける中間接続部ＷＥａ１（ＷＥａ２）よりも一端側を被覆ＷＥｂの上から保持する第１大径被覆保持部１３２Ｌと、大径電線ＷＥＬにおける中間接続部ＷＥａ１（ＷＥａ２）よりも他端側を被覆ＷＥｂの上から保持する第２大径被覆保持部１３３Ｌと、大径芯線接続部１３１Ｌ及び第１大径被覆保持部１３２Ｌを連結させる第１連結部１３４Ｌと、大径芯線接続部１３１Ｌ及び第２大径被覆保持部１３３Ｌを連結させる第２連結部１３５Ｌと、を有している（図２５及び図２８）。
【００９３】
大径芯線接続部１３１Ｌは、大径電線ＷＥＬの中間接続部ＷＥａ１（ＷＥａ２）に対して巻き付けながら加締められ、加締め圧着後に筒状を成して中間接続部ＷＥａ１（ＷＥａ２）に対して物理的且つ電気的に接続される。第１回路接続部材１２は、大径芯線接続部１３１Ｌを接点部１２ｂに接触させることによって、大径電線ＷＥＬとしての第１接続電線ＷＥ１の中間接続部ＷＥａ１に対して間接的に電気接続される。また、第１回路接続部材１３は、大径芯線接続部１３１Ｌを接点部１３ｂに接触させることによって、大径電線ＷＥＬとしての第２接続電線ＷＥ２の中間接続部ＷＥａ２に対して間接的に電気接続される。
【００９４】
第１大径被覆保持部１３２Ｌは、大径電線ＷＥＬにおける中間接続部ＷＥａ１（ＷＥａ２）よりも一端側の被覆ＷＥｂに対して巻き付けながら加締められ、その中間接続部ＷＥａ１（ＷＥａ２）よりも一端側を加締め圧着後に筒状を成して被覆ＷＥｂの上から保持する。これと同じように、第２大径被覆保持部１３３Ｌは、大径電線ＷＥＬにおける中間接続部ＷＥａ１（ＷＥａ２）よりも他端側の被覆ＷＥｂに対して巻き付けながら加締められ、その中間接続部ＷＥａ１（ＷＥａ２）よりも他端側を加締め圧着後に筒状を成して被覆ＷＥｂの上から保持する。
【００９５】
このように、この端子金具１３０Ｌは、先の端子金具１３０Ｓと同様の形態のものであり、大径電線ＷＥＬが電線軸方向に引っ張られた際の芯線ＷＥａに対する被覆ＷＥｂの電線軸方向への位置ずれを抑えることができるので、中間接続部ＷＥａ１（ＷＥａ２）の領域拡張を抑制することができる。また、この端子金具１３０Ｌは、第１連結部１３４Ｌや第２連結部１３５Ｌを第１回路接続部材１２の接点部１２ｂ（第１回路接続部材１３の接点部１３ｂ）に向けて配置することによって、その接点部１２ｂ（接点部１３ｂ）に対しての接触可能な面積を拡大させることができる。従って、この端子金具１３０Ｌは、その接点部１２ｂ（接点部１３ｂ）に対する電気接続品質の向上を図ることができる。
【００９６】
更に、ここでは、端子金具１３０（端子金具１３０Ｓ、端子金具１３０Ｌ）を用いて、筐体１２０に対する第１接続電線ＷＥ１や第２接続電線ＷＥ２の電線軸方向への位置ずれ抑制効果を高めることができる。かかる効果を得るべく、第１配索経路上の２つの電線保持構造１５０は、その内の一方の電線収容部１５２の周縁部で第１小径被覆保持部１３２Ｓ又は第１大径被覆保持部１３２Ｌを電線軸方向における一方側から係止させ、かつ、その内の他方の電線収容部１５２の周縁部で第２小径被覆保持部１３３Ｓ又は第２大径被覆保持部１３３Ｌを電線軸方向における他方側から係止させ得るものとして形成している（図２５及び図３０）。そして、第２配索経路上の２つの電線保持構造１５０は、その内の一方の電線収容部１５２の周縁部で第１小径被覆保持部１３２Ｓ又は第１大径被覆保持部１３２Ｌを電線軸方向における一方側から係止させ、かつ、その内の他方の電線収容部１５２の周縁部で第２小径被覆保持部１３３Ｓ又は第２大径被覆保持部１３３Ｌを電線軸方向における他方側から係止させ得るものとして形成している（図２５及び図３０）。
【００９７】
この例示では、第１配索経路上の一方の電線保持体１５３を第１外周壁１２２ｂにおける第１引出部１２２ｂ１の周縁部と第１小径被覆保持部１３２Ｓ又は第１大径被覆保持部１３２Ｌとの間に配置し、この電線保持体１５３における第１外周壁１２２ｂ側の外壁面で第１小径被覆保持部１３２Ｓ又は第１大径被覆保持部１３２Ｌを係止させる。また、この例示では、第１配索経路上の他方の電線保持体１５３を第３外周壁１２２ｄにおける第２引出部１２２ｄ１の周縁部と第２小径被覆保持部１３３Ｓ又は第２大径被覆保持部１３３Ｌとの間に配置し、この電線保持体１５３における第３外周壁１２２ｄ側の外壁面で第２小径被覆保持部１３３Ｓ又は第２大径被覆保持部１３３Ｌを係止させる。このように、この第１配索経路上の第１接続電線ＷＥ１は、小径電線ＷＥＳであるのか大径電線ＷＥＬであるのかに拘わらず、それぞれの電線収容部１５２の周縁部（それぞれの電線保持体１５３の外壁面）によって端子金具１３０（端子金具１３０Ｓ、端子金具１３０Ｌ）が電線軸方向で挟み込まれて係止されるので、筐体１２０に対する第１接続電線ＷＥ１の電線軸方向への位置ずれ抑制効果を高めることができる。
【００９８】
また、この例示では、第２配索経路上の一方の電線保持体１５３を第１外周壁１２２ｂにおける第３引出部１２２ｂ２の周縁部と第１小径被覆保持部１３２Ｓ又は第１大径被覆保持部１３２Ｌとの間に配置し、この電線保持体１５３における第１外周壁１２２ｂ側の外壁面で第１小径被覆保持部１３２Ｓ又は第１大径被覆保持部１３２Ｌを係止させる。また、この例示では、第２配索経路上の他方の電線保持体１５３を第３外周壁１２２ｄにおける第４引出部１２２ｄ２の周縁部と第２小径被覆保持部１３３Ｓ又は第２大径被覆保持部１３３Ｌとの間に配置し、この電線保持体１５３における第３外周壁１２２ｄ側の外壁面で第２小径被覆保持部１３３Ｓ又は第２大径被覆保持部１３３Ｌを係止させる。このように、この第２配索経路上の第２接続電線ＷＥ２は、小径電線ＷＥＳであるのか大径電線ＷＥＬであるのかに拘わらず、それぞれの電線収容部１５２の周縁部（それぞれの電線保持体１５３の外壁面）によって端子金具１３０（端子金具１３０Ｓ、端子金具１３０Ｌ）が電線軸方向で挟み込まれて係止されるので、筐体１２０に対する第２接続電線ＷＥ２の電線軸方向への位置ずれ抑制効果を高めることができる。
【００９９】
尚、第１配索経路上の一方の電線保持体１５３は、小径芯線接続部１３１Ｓと第１小径被覆保持部１３２Ｓとの間及び大径芯線接続部１３１Ｌと第１大径被覆保持部１３２Ｌとの間に配置し、その電線保持体１５３における第１外周壁１２２ｂ側の外壁面で第１小径被覆保持部１３２Ｓ又は第１大径被覆保持部１３２Ｌに係止されるものとして形成してもよい。第２配索経路上の一方の電線保持体１５３についても、この第１配索経路上の一方の電線保持体１５３と同様のものとして形成してもよい。この場合、第１配索経路上の他方の電線保持体１５３は、小径芯線接続部１３１Ｓと第２小径被覆保持部１３３Ｓとの間及び大径芯線接続部１３１Ｌと第２大径被覆保持部１３３Ｌとの間に配置し、その電線保持体１５３における第３外周壁１２２ｄ側の外壁面で第２小径被覆保持部１３３Ｓ又は第２大径被覆保持部１３３Ｌに係止されるものとして形成すればよい。第２配索経路上の他方の電線保持体１５３についても、この第１配索経路上の他方の電線保持体１５３と同様のものとして形成すればよい。このノイズフィルタ２は、それぞれの電線保持構造１５０をこのように構成したとしても、先の例示と同じように、筐体１２０に対する第１接続電線ＷＥ１や第２接続電線ＷＥ２の電線軸方向への位置ずれ抑制効果を高めることができる。
【０１００】
以上示したように、本変形例のノイズフィルタ２は、筐体１２０に対する第１接続電線ＷＥ１や第２接続電線ＷＥ２の電線軸方向への位置ずれを抑え、第１回路接続部材１２と第１接続電線ＷＥ１の中間接続部ＷＥａ１との間を所期の通電状態に保ちつつ、第２回路接続部材１３と第２接続電線ＷＥ２の中間接続部ＷＥａ２との間を所期の通電状態に保って、ノイズ低減機能を保ち続けることができる。また、本変形例のワイヤハーネスＷＨは、そのようなノイズフィルタ２を具備するものであり、このノイズフィルタ２が得られる効果を奏することができる。
【０１０１】
ところで、それぞれの電線保持構造１５０は、箱部材１２１の底壁１２１ａに設けてもよい。そして、この場合には、第１接続電線ＷＥ１と第２接続電線ＷＥ２とに各々端子金具１３０（端子金具１３０Ｓ、端子金具１３０Ｌ）が設けられていてもよい。この場合のノイズフィルタ２は、それぞれの電線保持構造１５０を蓋部材１２２に設ける場合と同じように、それぞれの電線保持構造１５０と端子金具１３０とによって、筐体１２０に対する第１接続電線ＷＥ１や第２接続電線ＷＥ２の電線軸方向への位置ずれを抑制させる。本変形例のノイズフィルタ２及びワイヤハーネスＷＨは、このように構成したとしても、先の例示と同様の効果を得ることができる。
【符号の説明】
【０１０２】
１，２  ノイズフィルタ
１１  ノイズ低減素子
１１ａ  第１接続部
１１ｂ  第２接続部
１２  第１回路接続部材
１２ｂ  接点部
１３  第２回路接続部材
１３ｂ  接点部
２０，１２０  筐体
２０ａ，１２０ａ  収容室
２０ｂ，１２０ｂ  部品挿入口
２１，１２１  箱部材
２２，１２２  蓋部材
２２ａ，１２２ａ  閉塞壁
２１ｂ１，２２ｂ１  第１引出部
２１ｂ２，２２ｂ２  第３引出部
２１ｄ１，２２ｄ１  第２引出部
２１ｄ２，２２ｄ２  第４引出部
５０，１５０  電線保持構造
５１，１５１  突起部
５２，１５２  電線収容部
５２ａ，１５２ａ  電線挿入口
５２ｂ，１５２ｂ  弧状面
５２ｃ，１５２ｃ  第１側壁面
５２ｄ，１５２ｄ  第２側壁面
１２２ａ１  内壁面
１３０，１３０Ｌ，１３０Ｓ  端子金具
１３１Ｌ  大径芯線接続部
１３１Ｓ  小径芯線接続部
１３２Ｌ  第１大径被覆保持部
１３２Ｓ  第１小径被覆保持部
１３３Ｌ  第２大径被覆保持部
１３３Ｓ  第２小径被覆保持部
１３４Ｌ，１３４Ｓ  第１連結部
１３５Ｌ，１３５Ｓ  第２連結部
１５３  電線保持体
ＷＥ１  第１接続電線
ＷＥ２  第２接続電線
ＷＥａ  芯線
ＷＥｂ  被覆
ＷＥａ１  中間接続部
ＷＥａ２  中間接続部
ＷＥＬ  大径電線
ＷＥＳ  小径電線
ＷＨ  ワイヤハーネス
ＷＴ  幹線
【図１】
2020123880.tif 000003
【図２】
2020123880.tif 000004
【図３】
2020123880.tif 000005
【図４】
2020123880.tif 000006
【図５】
2020123880.tif 000007
【図６】
2020123880.tif 000008
【図７】
2020123880.tif 000009
【図８】
2020123880.tif 000010
【図９】
2020123880.tif 000011
【図１０】
2020123880.tif 000012
【図１１】
2020123880.tif 000013
【図１２】
2020123880.tif 000014
【図１３】
2020123880.tif 000015
【図１４】
2020123880.tif 000016
【図１５】
2020123880.tif 000017
【図１６】
2020123880.tif 000018
【図１７】
2020123880.tif 000019
【図１８】
2020123880.tif 000020
【図１９】
2020123880.tif 000021
【図２０】
2020123880.tif 000022
【図２１】
2020123880.tif 000023
【図２２】
2020123880.tif 000024
【図２３】
2020123880.tif 000025
【図２４】
2020123880.tif 000026
【図２５】
2020123880.tif 000027
【図２６】
2020123880.tif 000028
【図２７】
2020123880.tif 000029
【図２８】
2020123880.tif 000030
【図２９】
2020123880.tif 000031
【図３０】
2020123880.tif 000032